(57)【要約】【課題】給紙装置及び給紙停止方法並びに印刷機において、装置の大型化や設備コストの増加を抑制すると共にウェブの供給停止時にウェブに対する損傷を抑制しながら必要な制動力を確保する。【解決手段】巻取紙ＷＲを回転自在に支持可能な支持アーム１０１と、現巻取紙ＷＲから繰り出されて走行するウェブＷと新巻取紙ＷＲから繰り出されるウェブＷとが重ねられた接着位置を押圧するように作動するペースタアーム１１３と現巻取紙ＷＲから繰り出されて走行するウェブＷを切断するカッタ１２４とを有する紙継ぎ装置１０３と、巻取紙ＷＲと一体回転する支持アーム１０１の回転軸部に対して制動力を付与するブレーキ装置１４７と、現巻取紙ＷＲからのウェブＷの供給停止時にブレーキ装置１４７を作動すると共にペースタブラシ１２０を作動する制御装置１８０とを設ける。【選択図】図１
2018095331.tif 000002
【特許請求の範囲】
【請求項１】
先端部に巻取紙を回転自在に支持可能な複数のアーム部を有して回転自在に支持される支持アームと、
現巻取紙から繰り出されて走行するウェブと新巻取紙から繰り出されるウェブとが重ねられた接着位置を押圧するように作動する押圧部材と現巻取紙から繰り出されて走行するウェブを切断するカッタとを有する紙継ぎ装置と、
巻取紙と一体回転する前記支持アームの回転軸部に対して制動力を付与するブレーキ装置と、
現巻取紙からのウェブの供給停止時に前記ブレーキ装置を作動すると共に前記押圧部材を作動する制御装置と、
を備えることを特徴とする給紙装置。
【請求項２】
前記制御装置は、現巻取紙の回転による慣性力が予め設定された所定値より大きいとき、現巻取紙からのウェブの供給停止時に前記ブレーキ装置を作動すると共に前記押圧部材を作動することを特徴とする請求項１に記載の給紙装置。
【請求項３】
前記所定値は、ウェブの種類ごとに複数設定され、ウェブの種類ごとの複数の前記所定値が記憶装置に記憶され、前記制御装置は、前記記憶装置に記憶されたウェブの種類ごとの複数の前記所定値の中から使用するウェブの所定値を選択し、前記現巻取紙の慣性力が選択された前記所定値より大きいとき、前記ブレーキ装置を作動すると共に前記押圧部材を作動することを特徴とする請求項２に記載の給紙装置。
【請求項４】
前記制御装置は、現巻取紙の外径が予め設定された所定外径より大きいとき、現巻取紙からのウェブの供給停止時に前記ブレーキ装置を作動すると共に前記押圧部材を作動することを特徴とする請求項１または請求項２に記載の給紙装置。
【請求項５】
前記所定外径は、ウェブの種類ごとに複数設定され、ウェブの種類ごとの複数の前記所定外径が記憶装置に記憶され、前記制御装置は、前記記憶装置に記憶されたウェブの種類ごとの複数の前記所定外径の中から使用するウェブの所定外径を選択し、前記現巻取紙の外径が選択された前記所定外径より大きいとき、前記ブレーキ装置を作動すると共に前記押圧部材を作動することを特徴とする請求項４に記載の給紙装置。
【請求項６】
前記紙継ぎ装置は、現巻取紙から離間した退避位置と現巻取紙に接近した待機位置とに移動可能な移動部材と、前記移動部材に支持されて現巻取紙の外表面から予め設定された所定距離だけ離間した非作動位置と現巻取紙の外表面を押圧する作動位置とに移動可能な前記押圧部材とを有し、前記制御装置は、前記移動部材が前記待機位置にあるとき、前記押圧部材と現巻取紙の外表面との前記所定距離を一定に維持することを特徴とする請求項１から請求項５のいずれか一項に記載の給紙装置。
【請求項７】
前記移動部材を前記退避位置と前記待機位置とに移動可能な移動装置を設け、前記制御装置は、前記移動部材が前記待機位置にあるとき、前記移動装置により前記移動部材を移動することで、前記所定距離を一定に維持することを特徴とする請求項６に記載の給紙装置。
【請求項８】
前記制御装置は、現巻取紙の外径が予め設定された所定値まで減少すると、前記移動装置により前記移動部材を前記退避位置に移動することを特徴とする請求項７に記載の給紙装置。
【請求項９】
前記制御装置は、必要ブレーキ力に対して前記押圧部材を作動することで発生するブレーキ力を一定とし、前記ブレーキ装置を作動することで発生するブレーキ力を増減することを特徴とする請求項１から請求項８のいずれか一項に記載の給紙装置。
【請求項１０】
先端部に巻取紙を回転自在に支持可能な複数のアーム部を有して回転自在に支持される支持アームと、
現巻取紙から繰り出されて走行するウェブと新巻取紙から繰り出されるウェブとが重ねられた接着位置を押圧するように作動する押圧部材と現巻取紙から繰り出されて走行するウェブを切断するカッタとを有する紙継ぎ装置と、
巻取紙と一体回転する前記支持アームの回転軸部に対して制動力を付与するブレーキ装置と、
を備える給紙装置において、
現巻取紙からのウェブの供給停止指令に応じて前記ブレーキ装置を作動すると共に前記押圧部材を作動する、
ことを特徴とする給紙停止方法。
【請求項１１】
現巻取紙の回転による慣性力が予め設定された所定値より大きいとき、現巻取紙からのウェブの供給停止時に前記ブレーキ装置を作動すると共に前記押圧部材を作動することを特徴とする請求項１０に記載の給紙停止方法。
【請求項１２】
請求項１から請求項９のいずれか一項に記載の給紙装置と、
ウェブに対して印刷を施す印刷装置と、
印刷が施されたウェブの経路を調整して重ね順を設定するウェブパス装置と、
複数重ねられた複数のウェブを断裁して折り畳むことで折帖を形成する折機と、
を備えることを特徴とする印刷機。
【請求項１３】
前記制御装置は、停電信号が入力すると、前記ブレーキ装置を作動すると共に前記押圧部材を作動することを特徴とする請求項１２に記載の印刷機。
【請求項１４】
前記制御装置は、停電信号が入力されると、前記給紙装置から前記印刷装置までのウェブのテンションが適正値に維持されるように、前記ブレーキ装置と前記押圧部材を作動することを特徴とする請求項１３に記載の印刷機。
【発明の詳細な説明】
【技術分野】
【０００１】
本発明は、例えば、オフセット輪転印刷機において、巻取紙を回転してウェブの供給を行う給紙装置及び給紙停止方法、この給紙装置を備える印刷機に関するものである。
【背景技術】
【０００２】
例えば、新聞用オフセット輪転印刷機は、給紙装置とインフィード装置と印刷装置とウェブパス装置と折機とから構成されている。給紙装置で巻取紙が回転することで繰出されるウェブは、インフィード装置によりウェブの適正なテンションが維持され、印刷装置により印刷が施され、ウェブパス装置により縦裁断されて積重ねられた後、折機により縦折りされてから横裁断され、横折されることで折帖（新聞）となる。
【０００３】
給紙装置は、駆動装置により回転可能な支持アームを有し、支持アームは、先端部にウェブがロール状に巻かれた複数の巻取紙を回転自在に保持可能となっている。そのため、支持アームを回転することで、保持した巻取紙を給紙位置に回動し、この給紙位置で巻取紙を回転することでウェブを繰り出すことができる。また、インフィード装置は、給紙装置と印刷装置との間でウェブのテンションを調整する。インフィード装置は、例えば、給紙テンションは、巻取紙からインフィードローラまでのテンションであり、検出したウェブのテンションに応じて給紙装置のブレーキ力を制御する。印刷テンションは、インフィードローラから印刷装置の入口までのテンションであり、検出したウェブのテンションに応じてインフィードローラの回転速度を制御する。
【０００４】
ところで、停電などが発生して新聞用オフセット輪転印刷機を緊急停止するとき、ウェブが切断されないように、印刷機全体でウェブのテンションを維持する必要がある。ところが、印刷装置における各胴や各ローラなどの回転を停止するとき、給紙装置における巻取紙の回転停止が間に合わないことがある。特に、ウェブの幅や巻取量が大きいときには、巻取紙の回転による慣性力が大きくなり、ブレーキ装置による巻取紙の回転停止に時間がかかってしまう。ブレーキ装置による巻取紙の制動力を上げることが考えられるが、装置の大型化を招いてしまう。
【０００５】
このような問題を解決するものとして、例えば、下記特許文献に記載されたものがある。各特許文献に記載された張力調整装置は、ブレーキ装置とは別に外周ブレーキ装置を設けることで、大きな制動力を確保するものである。
【先行技術文献】
【特許文献】
【０００６】
【特許文献１】実開平０３−０２８１５２号公報
【特許文献２】実開平０３−０２８１５３号公報
【発明の概要】
【発明が解決しようとする課題】
【０００７】
ところが、張力調整装置として、給紙装置に設けられていたブレーキ装置とは別に外周ブレーキ装置を設けることは、装置の大型化や設備コストの増加を招いてしまう。また、外周ブレーキ装置は、巻取紙の外周面を押えて制動力を付与することから、その押圧力の調整が難しい。巻取紙の外周面を押える押圧力が大きすぎると、ウェブに損傷を与えてしまい、巻取紙の外周面を押える押圧力が小さすぎると、必要な制動力を得ることができない。そのため、作業者による押圧力調整作業に長時間を要してしまい、作業性が良くないという課題がある。
【０００８】
本発明は、上述した課題を解決するものであり、装置の大型化や設備コストの増加を抑制すると共にウェブの供給停止時にウェブに対する損傷を抑制しながら必要な制動力を確保することができる給紙装置及び給紙停止方法並びに印刷機を提供することを目的とする。
【課題を解決するための手段】
【０００９】
上述の目的を達成するための本発明の給紙装置は、先端部に巻取紙を回転自在に支持可能な複数のアーム部を有して回転自在に支持される支持アームと、現巻取紙から繰り出されて走行するウェブと新巻取紙から繰り出されるウェブとが重ねられた接着位置を押圧するように作動する押圧部材と現巻取紙から繰り出されて走行するウェブを切断するカッタとを有する紙継ぎ装置と、巻取紙と一体回転する前記支持アームの回転軸部に対して制動力を付与するブレーキ装置と、現巻取紙からのウェブの供給停止時に前記ブレーキ装置を作動すると共に前記押圧部材を作動する制御装置と、を備えることを特徴とするとするものである。
【００１０】
従って、現巻取紙からのウェブの供給停止時に、ブレーキ装置を作動すると共に紙継ぎ装置における押圧部材を作動することで、現巻取紙の回転を停止するための十分なブレーキ力を適正に確保することができ、適正時期に現巻取紙の回転を停止することができる。そして、現巻取紙の回転を停止するためのブレーキ力を確保するために、紙継ぎ装置の押圧部材を用いることで、別のブレーキ装置を追加する必要はなく、装置の大型化や設備コストの増加を抑制することができる。また、既存の紙継ぎ装置を用いることで、押圧部材の作動時にウェブに対する損傷を抑制しながら、必要な制動力を確保することができる。
【００１１】
本発明の給紙装置では、前記制御装置は、現巻取紙の回転による慣性力が予め設定された所定値より大きいとき、現巻取紙からのウェブの供給停止時に前記ブレーキ装置を作動すると共に前記押圧部材を作動することを特徴としている。
【００１２】
従って、現巻取紙の回転による慣性力が所定値以下のときは、ブレーキ装置だけを作動して現巻取紙の回転を停止し、現巻取紙の回転による慣性力が所定値より大きいとき、ブレーキ装置と押圧部材の両方を作動して現巻取紙の回転を停止することとなり、必要時だけ紙継ぎ装置の押圧部材を使用することで、紙継ぎ作業に悪影響を与えることなく、常時適正時期に現巻取紙の回転を停止することができる。
【００１３】
本発明の給紙装置では、前記所定値は、ウェブの種類ごとに複数設定され、ウェブの種類ごとの複数の前記所定値が記憶装置に記憶され、前記制御装置は、前記記憶装置に記憶されたウェブの種類ごとの複数の前記所定値の中から使用するウェブの所定値を選択し、前記現巻取紙の慣性力が選択された前記所定値より大きいとき、前記ブレーキ装置を作動すると共に前記押圧部材を作動することを特徴としている。
【００１４】
従って、ウェブの種類ごとに複数の所定値を設定して記憶装置に記憶しておくことで、この記憶された複数の所定値の中から使用するウェブに最適な所定値を選択してブレーキ力を発生させることとなり、停電停止時のみならず、通常運転の停止であっても、ウェブの断紙を防止しながら印刷機を適正に停止することができる。
【００１５】
本発明の給紙装置では、前記制御装置は、現巻取紙の外径が予め設定された所定外径より大きいとき、現巻取紙からのウェブの供給停止時に前記ブレーキ装置を作動すると共に前記押圧部材を作動することを特徴としている。
【００１６】
従って、現巻取紙の外径が所定外径以下のときは、ブレーキ装置だけを作動して現巻取紙の回転を停止し、現巻取紙の外径が所定外径より大きいとき、ブレーキ装置と押圧部材の両方を作動して現巻取紙の回転を停止することとなり、必要時だけ紙継ぎ装置の押圧部材を使用することで、紙継ぎ作業に悪影響を与えることなく、常時適正時期に現巻取紙の回転を停止することができる。また、慣性力と相関関係にある巻取紙の外径を用いることで、制御の簡素化を図ることができる。
【００１７】
本発明の給紙装置では、前記所定外径は、ウェブの種類ごとに複数設定され、ウェブの種類ごとの複数の前記所定外径が記憶装置に記憶され、前記制御装置は、前記記憶装置に記憶されたウェブの種類ごとの複数の前記所定外径の中から使用するウェブの所定外径を選択し、前記現巻取紙の外径が選択された前記所定外径より大きいとき、前記ブレーキ装置を作動すると共に前記押圧部材を作動することを特徴としている。
【００１８】
従って、ウェブの種類ごとに複数の所定外径を設定して記憶装置に記憶しておくことで、この記憶された複数の所定外径の中から使用するウェブに最適な所定外径を選択してブレーキ力を発生させることとなり、停電停止時のみならず、通常運転の停止であっても、ウェブの断紙を防止しながら印刷機を適正に停止することができる。
【００１９】
本発明の給紙装置では、前記紙継ぎ装置は、現巻取紙から離間した退避位置と現巻取紙に接近した待機位置とに移動可能な移動部材と、前記移動部材に支持されて現巻取紙の外表面から予め設定された所定距離だけ離間した非作動位置と現巻取紙の外表面を押圧する作動位置とに移動可能な前記押圧部材とを有し、前記制御装置は、前記移動部材が前記待機位置にあるとき、前記押圧部材と現巻取紙の外表面との前記所定距離を一定に維持することを特徴としている。
【００２０】
従って、移動部材が待機位置にあるとき、押圧部材と現巻取紙の外表面との所定距離を一定に維持することから、現巻取紙からのウェブの供給停止時に、短時間で押圧部材を現巻取紙の外表面に押圧してブレーキを付与することができ、現巻取紙からのウェブの供給を適正に停止することができる。
【００２１】
本発明の給紙装置では、前記移動部材を前記退避位置と前記待機位置とに移動可能な移動装置を設け、前記制御装置は、前記移動部材が前記待機位置にあるとき、前記移動装置により前記移動部材を移動することで、前記所定距離を一定に維持することを特徴としている。
【００２２】
従って、移動部材が待機位置にあるとき、移動装置により移動部材を移動することで、押圧部材と現巻取紙の外表面との所定距離を一定に維持することから、支持アーム側の作動、つまり、現巻取紙からのウェブの繰り出し作業に悪影響を与えることなく、所定距離を一定に維持することができる。
【００２３】
本発明の給紙装置では、前記制御装置は、現巻取紙の外径が予め設定された所定値まで減少すると、前記移動装置により前記移動部材を前記退避位置に移動することを特徴としている。
【００２４】
従って、現巻取紙の外径が所定値まで減少すると、移動部材を退避位置に移動することから、次の紙継ぎ作業を支障なく実施することができる。
【００２５】
本発明の給紙装置では、前記制御装置は、必要ブレーキ力に対して前記押圧部材を作動することで発生するブレーキ力を一定とし、前記ブレーキ装置を作動することで発生するブレーキ力を増減することを特徴としている。
【００２６】
従って、必要ブレーキ力に対して押圧部材によるブレーキ力を一定とし、ブレーキ装置によるブレーキ力を増減することから、紙継ぎ作業時に必要な押圧部材の押圧力と、ウェブの供給停止時に必要な押圧部材の押圧力が同じとなり、押圧部材の押圧力の調整を不要として作業性を向上することができる。
【００２７】
また、本発明の給紙停止方法は、先端部に巻取紙を回転自在に支持可能な複数のアーム部を有して回転自在に支持される支持アームと、現巻取紙から繰り出されて走行するウェブと新巻取紙から繰り出されるウェブとが重ねられた接着位置を押圧するように作動する押圧部材と現巻取紙から繰り出されて走行するウェブを切断するカッタとを有する紙継ぎ装置と、巻取紙と一体回転する前記支持アームの回転軸部に対して制動力を付与するブレーキ装置と、を備える給紙装置において、現巻取紙からのウェブの供給停止指令に応じて前記ブレーキ装置を作動すると共に前記押圧部材を作動する、ことを特徴とするものである。
【００２８】
従って、現巻取紙からのウェブの供給停止指令に応じて前記ブレーキ装置を作動すると共に前記押圧部材を作動することで、現巻取紙の回転を停止するための十分なブレーキ力を適正に確保することができ、適正時期に現巻取紙の回転を停止することができる。そして、現巻取紙の回転を停止するためのブレーキ力を確保するために、紙継ぎ装置の押圧部材を用いることで、別のブレーキ装置を追加する必要はなく、装置の大型化や設備コストの増加を抑制することができる。また、既存の紙継ぎ装置を用いることで、押圧部材の作動時にウェブに対する損傷を抑制しながら、必要な制動力を確保することができる。
【００２９】
本発明の給紙停止方法では、現巻取紙の回転による慣性力が予め設定された所定値より大きいとき、現巻取紙からのウェブの供給停止時に前記ブレーキ装置を作動すると共に前記押圧部材を作動することを特徴としている。
【００３０】
従って、現巻取紙の回転による慣性力が所定値以下のときは、ブレーキ装置だけを作動して現巻取紙の回転を停止し、現巻取紙の回転による慣性力が所定値より大きいとき、ブレーキ装置と押圧部材の両方を作動して現巻取紙の回転を停止することとなり、必要時だけ紙継ぎ装置の押圧部材を使用することで、紙継ぎ作業に悪影響を与えることなく、常時適正時期に現巻取紙の回転を停止することができる。
【００３１】
また、本発明の印刷機は、前記給紙装置と、ウェブに対して印刷を施す印刷装置と、印刷が施されたウェブの経路を調整して重ね順を設定するウェブパス装置と、複数重ねられた複数のウェブを断裁して折り畳むことで折帖を形成する折機と、を備えることを特徴とするものである。
【００３２】
従って、給紙装置にて、現巻取紙からのウェブの供給停止時に、ブレーキ装置を作動すると共に紙継ぎ装置における押圧部材を作動することで、現巻取紙の回転を停止するための十分なブレーキ力を適正に確保することができ、適正時期に現巻取紙の回転を停止することができる。そして、現巻取紙の回転を停止するためのブレーキ力を確保するために、紙継ぎ装置の押圧部材を用いることで、別のブレーキ装置を追加する必要はなく、装置の大型化や設備コストの増加を抑制することができる。また、既存の紙継ぎ装置を用いることで、押圧部材の作動時にウェブに対する損傷を抑制しながら、必要な制動力を確保することができる。
【００３３】
本発明の印刷機では、前記制御装置は、停電信号が入力すると、前記ブレーキ装置を作動すると共に前記押圧部材を作動することを特徴としている。
【００３４】
従って、制御装置に停電信号が入力すると、ブレーキ装置を作動すると共に押圧部材を作動することで、同時に緊急停止する印刷装置、ウェブパス装置、折機の停止動作に同期させて給紙装置を停止することができる。
【００３５】
本発明の印刷機では、前記制御装置は、停電信号が入力されると、前記給紙装置から前記印刷装置までのウェブのテンションが適正値に維持されるように、前記ブレーキ装置と前記押圧部材を作動することを特徴としている。
【００３６】
従って、停電時に、ウェブのテンションが適正値に維持されるように給紙装置を停止することで、ウェブの断紙を防止しながら印刷機を停止することができ、停電の復帰時に、早期に印刷機を稼働することができる。
【発明の効果】
【００３７】
本発明の給紙装置及び給紙停止方法並びに印刷機によれば、現巻取紙からのウェブの供給停止時にブレーキ装置を作動すると共に紙継ぎ装置における押圧部材を作動するので、別のブレーキ装置を追加する必要はなく、装置の大型化や設備コストの増加を抑制することができ、また、押圧部材の作動時にウェブに対する損傷を抑制しながら、必要な制動力を確保することができる。
【図面の簡単な説明】
【００３８】
【図１】図１は、本実施形態の給紙装置を表す概略構成図である。
【図２】図２は、給紙作業時におけるペースタアームの作動制御を表すフローチャートである。
【図３】図３は、停電発生時におけるブレーキ制御を表すフローチャートである。
【図４】図４は、停電発生時における必要ブレーキ力に対する実ブレーキ力の配分を表すグラフである。
【図５】図５は、紙継ぎ装置を表す概略図である。
【図６】図６は、紙継ぎ装置の作動状態を表す概略図である。
【図７】図７は、別の紙継ぎ装置を表す概略図である。
【図８】図８は、新聞用オフセット輪転印刷機を表す概略構成図である。
【図９】図９は、新聞用オフセット輪転印刷機における印刷ユニットを表す概略構成図である。
【発明を実施するための形態】
【００３９】
以下に添付図面を参照して、本発明に係る給紙装置及び給紙停止方法並びに印刷機の好適な実施形態を詳細に説明する。なお、この実施形態により本発明が限定されるものではなく、また、複数の実施形態がある場合には、各実施形態を組み合わせて構成するものも含むものである。
【００４０】
まず、本実施形態の新聞用オフセット輪転印刷機の構成を簡単に説明する。図８は、本実施形態の新聞用オフセット輪転印刷機を表す概略構成図、図９は、新聞用オフセット輪転印刷機における印刷ユニットを表す概略構成図である。
【００４１】
本実施形態において、図８に示すように、新聞用オフセット輪転印刷機（以下、単に印刷機と称する。）Ｐは、給紙装置Ｒと、インフィード装置Ｉと、印刷装置Ｕと、ウェブパス装置Ｄと、折機Ｆとから構成されている。給紙装置Ｒは、複数（本実施形態では、５台）の給紙ユニットＲ１，Ｒ２，Ｒ３，Ｒ４，Ｒ５を有し、インフィード装置Ｉは、複数（本実施形態では、５台）のインフィードユニットＩ１，Ｉ２，Ｉ３，Ｉ４，Ｉ５を有し、印刷装置Ｕは、複数（本実施形態では、５台）の印刷ユニットＵ１，Ｕ２，Ｕ３，Ｕ４，Ｕ５を有し、ウェブパス装置Ｄは、１台のウェブパスユニットＤ１を有し、折機Ｆは、２台の折ユニットＦ１，Ｆ２を有している。なお、給紙ユニットＲ１，Ｒ２，Ｒ３，Ｒ４，Ｒ５、インフィードユニットＩ１，Ｉ２，Ｉ３，Ｉ４，Ｉ５、印刷ユニットＵ１，Ｕ２，Ｕ３，Ｕ４，Ｕ５の台数は、５台に限定されるものではなく、ウェブパスユニットＤ１、折ユニットＦ１，Ｆ２は、複数台としてもよい。
【００４２】
給紙装置Ｒにおいて、給紙ユニットＲ１，Ｒ２，Ｒ３，Ｒ４，Ｒ５は、ほぼ同様の構成をなし、ウェブＷがロール状に巻かれた複数の巻取紙を保持する支持アームを有し、この支持アームを回転することで、巻取紙を給紙位置に回動することができる。また、この各給紙ユニットＲ１〜Ｒ５は、図示しない紙継装置を有しており、給紙位置で繰り出されている巻取紙が残り少なくなると、この紙継装置により給紙位置にある巻取紙に対して、待機位置にある巻取紙を紙継することができる。
【００４３】
インフィード装置Ｉにおいて、インフィードユニットＩ１，Ｉ２，Ｉ３，Ｉ４，Ｉ５は、ほぼ同様の構成をなし、印刷装置Ｕの各印刷ユニットＵ１，Ｕ２，Ｕ３，Ｕ４，Ｕ５に送り込むウェブＷのテンションを調整することで、印刷装置Ｕを走行するウェブＷのテンションを適正値に安定して維持するようにしている。例えば、各インフィードユニットＩ１，Ｉ２，Ｉ３，Ｉ４，Ｉ５は、インフィードローラ、ダンサローラまたはテンションピックアップローラ、ガイドローラなどを有している。そして、このダンサローラの揺動またはテンションピックアップローラの変動に応じてインフィードローラの周速を変更し、ウェブＷの適正なテンションを維持している。
【００４４】
印刷装置Ｕにおいて、印刷ユニットＵ１，Ｕ２，Ｕ３，Ｕ４，Ｕ５は、ほぼ同様の構成をなし、印刷ユニットＵ１，Ｕ２，Ｕ３は、２色刷りが可能であり、印刷ユニットＵ４，Ｕ５は、４色刷りが可能である。但し、印刷ユニットＵ４，Ｕ５は、上下に分割することで、それぞれを２色刷りの印刷ユニットとして使用することができる。印刷ユニットＵ１，Ｕ２，Ｕ３，Ｕ４，Ｕ５は、インキ供給装置、版胴、ブランケット胴などを有している。
【００４５】
ウェブパス装置Ｄにおいて、ウェブパスユニットＤ１は、印刷ユニットＵ１，Ｕ２，Ｕ３，Ｕ４，Ｕ５に対して設けられている。ウェブパスユニットＤ１は、ウェブＷを縦（ウェブＷの天地長手方向、ウェブＷの搬送方向）に沿ってその幅方向の中央部で裁断するスリッタＤ１１と、縦裁断したウェブＷの走行経路を設定するターンバーＤ１２と、ウェブＷにおける天地長手方向における搬送位置を調整するコンペンセータＤ１３などを有している。
【００４６】
折機Ｆにて、折ユニットＦ１，Ｆ２は、ほぼ同様の構成をなしている。ウェブパスユニットＤ１から複数のウェブＷが重ねられて導入されると、折ユニットＦ１，Ｆ２は、それぞれウェブＷを縦折りし、所定の長さで横裁断し、横折りして折帖を形成し、新聞として排紙することができる。
【００４７】
ここで、印刷装置Ｕにおける印刷ユニットＵ５について詳細に説明する。なお、他の各印刷ユニットＵ１〜Ｕ４もほぼ同様の構成となっている。
【００４８】
印刷ユニットＵ５は、図９に示すように、４色印刷が可能となるように、Ｈ型のタワーユニットとなっている。この印刷ユニットＵ５は、ウェブＷの搬送方向が鉛直方向における上方となっており、下から上に向かって、墨（Black）、藍（Cyan）、紅（Magenta）、黄（Yellow）ごとの４つのスタック２１，２２，２３，２４が配置されて構成されている。各スタック２１，２２，２３，２４は、それぞれ左右対称となるローラ配列となっている。
【００４９】
各スタック２１，２２，２３，２４は、左右に対向してブランケット胴３１ａ，３１ｂ，３２ａ，３２ｂ，３３ａ，３３ｂ，３４ａ，３４ｂがウェブＷの搬送経路を挟んで対接可能であり、各ブランケット胴３１ａ，３１ｂ，３２ａ，３２ｂ，３３ａ，３３ｂ，３４ａ，３４ｂに版胴４１ａ，４１ｂ，４２ａ，４２ｂ，４３ａ，４３ｂ，４４ａ，４４ｂが対接している。そして、各スタック２１，２２，２３，２４は、各版胴４１ａ，４１ｂ，４２ａ，４２ｂ，４３ａ，４３ｂ，４４ａ，４４ｂに対して、インキ供給装置５１ａ，５１ｂ，５２ａ，５２ｂ，５３ａ，５３ｂ，５４ａ，５４ｂが設けられている。また、各版胴４１ａ，４１ｂ，４２ａ，４２ｂ，４３ａ，４３ｂ，４４ａ，４４ｂに対して、湿し装置６１ａ，６１ｂ，６２ａ，６２ｂ，６３ａ，６３ｂ，６４ａ，６４ｂが設けられている。
【００５０】
この場合、スタック２１，２３は、ブランケット胴３１ａ，３１ｂ，３３ａ，３３ｂと版胴４１ａ，４１ｂ，４３ａ，４３ｂがハの字形状に配列され、スタック２２，２４は、ブランケット胴３２ａ，３２ｂ，３４ａ，３４ｂと版胴４２ａ，４２ｂ，４４ａ，４４ｂが逆ハの字形状に配列されている。そして、各版胴４１ａ，４１ｂ，４２ａ，４２ｂ，４３ａ，４３ｂ，４４ａ，４４ｂにて、外周面に異なる絵柄を印刷する刷版（図示略）が軸方向、つまり、ウェブＷの幅方向に沿って並べて装着可能となっている。
【００５１】
以下、本実施形態の給紙装置及び給紙停止方法について説明する。図１は、本実施形態の給紙装置を表す概略構成図である。
【００５２】
図１に示すように、給紙装置Ｒは、給紙ユニットＲ５（Ｒ１，Ｒ２，Ｒ３，Ｒ４）が複数（本実施形態では、３個）の巻取紙ＷＲを保持する支持アーム１０１を有している。この支持アーム１０１は、中心の回転軸１０２から放射方向に延出する３本のアーム部１０１ａ，１０１ｂ，１０１ｃを有し、各アーム部１０１ａ，１０１ｂ，１０１ｃの先端部に巻取紙ＷＲを回転自在に保持可能となっている。また、図示しない駆動装置は、支持アーム１０１を回転可能であり、この支持アーム１０１により各アーム部１０１ａ，１０１ｂ，１０１ｃを回動することで、巻取紙ＷＲを所定の給紙位置に停止することができる。
【００５３】
また、この給紙ユニットＲ５は、紙継ぎ装置１０３を有しており、この紙継ぎ装置１０３は、給紙位置で繰り出されている巻取紙ＷＲが残り少なくなると、給紙位置にある巻取紙ＷＲから繰り出されるウェブＷに、待機位置にある巻取紙ＷＲから繰り出されるウェブＷを紙継ぎすることができる。
【００５４】
ここで、紙継ぎ装置１０３について説明する。図５は、紙継ぎ装置を表す概略図、図６は、紙継ぎ装置の作動状態を表す概略図、図７は、別の紙継ぎ装置を表す概略図である。
【００５５】
紙継ぎ装置１０３において、図５に示すように、図示しない印刷機フレームに支持フレーム１１１が固定されており、この支持フレーム１１１にガイドレール１１２が固定されており、ペースタアーム（移動部材）１１３は、上端部がこのガイドレール１１２に移動自在に支持されている。また、支持フレーム１１１は、駆動プーリ１１４と従動プーリ１１５が所定間隔を空けて回転自在に支持されており、駆動プーリ１１４と従動プーリ１１５との間にガイドレール１１２と平行な無端の駆動ベルト１１６が掛け回されている。そして、駆動プーリ１１４は、駆動装置（移動装置）１１７により駆動回転可能であり、ペースタアーム１１３が駆動ベルト１１６に連結されている。そのため、駆動装置１１７により駆動プーリ１１４を駆動回転することで、駆動ベルト１１６が駆動し、ペースタアーム１１３をガイドレール１１２に沿って移動することができる。
【００５６】
ペースタレバー１１８は、基端部が支持軸１１９によりペースタアーム１１３の上部に回動自在に支持されており、先端部にペースタブラシ（押圧部材）１２０が固定されている。また、作動レバー１２１は、一端部が支持軸１１９に連結され、他端部がペースタアーム１１３に固定されたエアシリンダ１２２の駆動ロッド１２３の先端部に連結されている。ペースタブラシ１２０に代えて、ペースタローラを用いてもよい。そのため、エアシリンダ１２２により作動レバー１２１及び支持軸１１９を介してペースタレバー１１８を回動することができる。
【００５７】
カッタ１２４は、回動軸１２５によりペースタアーム１１３の下部に回動自在に支持されており、図示しない駆動装置により回動可能となっている。
【００５８】
そして、ペースタアーム１１３は、ウェブＷを繰り出している現巻取紙ＷＲから離間した退避位置（図５の二点鎖線位置）と、現巻取紙ＷＲに接近した待機位置（図５の実線位置）とに移動可能である。また、ペースタレバー１１８（ペースタブラシ１２０）は、現巻取紙ＷＲの外表面から予め設定された所定距離Ｌだけ離間した非作動位置（図５の実線位置）と、現巻取紙ＷＲの外表面を押圧する作動位置（図６の実線位置）とに移動可能である。
【００５９】
そのため、図５に示すように、現巻取紙ＷＲの外径が所定の外径まで減少すると、まず、支持アーム１０１により各アーム部１０１ａ，１０１ｂ，１０１ｃを所定角度回動し、通常運転姿勢から紙継ぎ姿勢へ移行させる。ここで、支持アーム１０１が紙継ぎ姿勢になると、新巻取紙ＷＲが紙継ぎ位置に移行する。続いて、駆動装置１１７によりペースタアーム１１３を退避位置から待機位置に移動し、図６に示すように、エアシリンダ１２２によりペースタレバー１１８を非作動位置から作動位置に移動する。すると、ペースタブラシ１２０が現巻取紙から繰り出されたウェブＷを新巻取紙ＷＲの外表面に押圧することで、現巻取紙のウェブＷに新巻取紙ＷＲのウェブＷを図示しない粘着部を介して接着する。その後、カッタ１２４を作動して現巻取紙のウェブＷを切断することで、ウェブＷの紙継ぎ作業が完了する。紙継ぎ作業の完了後、ペースタレバー１１８（ペースタブラシ１２０）が非作動位置に戻り、ペースタアーム１１３が退避位置に戻る。
【００６０】
なお、紙継ぎ装置１０３は、上述した構成に限定されるものではない。図７に示すように、紙継ぎ装置１３０において、ペースタアーム（移動部材）１３１は、図示しない印刷機フレームに上端部が回動自在に支持されており、エアシリンダ（移動装置）１３２により回動可能となっている。ペースタレバー１３３は、基端部が支持軸１３４によりペースタアーム１３１の上部に回動自在に支持されており、先端部にペースタブラシ（押圧部材）１３５が固定されている。ペースタブラシ１３５は、図示しないエアシリンダにより回動可能となっている。カッタ１３６は、回動軸１３７によりペースタアーム１３１の下部に回動自在に支持されており、図示しない駆動装置により回動可能となっている。
【００６１】
そして、ペースタアーム１３１は、ウェブＷを繰り出している現巻取紙ＷＲから離間した退避位置（図７の二点鎖線位置）と、現巻取紙ＷＲに接近した待機位置（図７の実線位置）とに移動可能である。また、ペースタレバー１３３（ペースタブラシ１３５）は、現巻取紙ＷＲの外表面から予め設定された所定距離だけ離間した非作動位置と、現巻取紙ＷＲの外表面を押圧する作動位置とに移動可能である。なお、紙継ぎ装置１３０によるウェブＷの紙継ぎ作業は、紙継ぎ装置１０３によるウェブＷの紙継ぎ作業とほぼ同様であることから、説明は省略する。
【００６２】
図１に示すように、インフィード装置Ｉは、インフィードユニットＩ５（Ｉ１，Ｉ２，Ｉ３，Ｉ４）が給紙装置Ｒと印刷装置Ｕとの間でウェブＷのテンションを適正値に安定して維持する。インフィードユニットＩ５は、フローティングローラ１４１、テンションピックアップローラ１４２、インフィードローラ１４３、ダンサローラ１４４などを有している。そして、テンションピックアップローラ１４２とダンサローラ１４４に検出器１４５，１４６が接続されている。また、給紙装置Ｒ（給紙ユニットＲ５）は、支持アーム１０１の各アーム部１０１ａ，１０１ｂ，１０１ｃにおける巻取紙ＷＲの回転軸部に対して制動力を付与するブレーキ装置１４７が設けられている。このブレーキ装置１４７は、巻取紙ＷＲと一体回転する支持アーム１０１の回転軸部、つまり、各アーム部１０１ａ，１０１ｂ，１０１ｃの先端部における巻取紙ＷＲの回転支持部に対して制動力を付与するものである。具体的に、支持アーム１０１は、各アーム部１０１ａ，１０１ｂ，１０１ｃの先端部に回転自在な一対のチャックが設けられており、この一対のチャックが巻取紙ＷＲの芯を軸方向両側から把持する。一方のチャックは、円板が固定されており、アーム部１０１ａ，１０１ｂ，１０１ｃに設けられたブレーキパッドが円板を挟持することで、巻取紙ＷＲにブレーキ力を付与する。つまり、ブレーキ装置１４７は、ディスクブレーキである。
【００６３】
そして、給紙装置Ｒから印刷装置ＵまでのウェブＷのテンションは、給紙テンションと印刷テンションからなる。給紙テンションは、巻取紙ＷＲからインフィードローラ１４３までのテンションであり、テンションピックアップローラ１４２の検出器１４５が検出したウェブＷのテンションに応じて給紙ユニットＲ５におけるブレーキ装置１４７のブレーキ力を制御する。印刷テンションは、インフィードローラ１４３から印刷装置Ｕの入口までのテンションであり、ダンサローラ１４４の検出器１４６が検出したウェブＷのテンションに応じてインフィードローラ１４３の回転速度を制御する。
【００６４】
ところで、停電などが発生して印刷機Ｐを緊急停止するとき、給紙装置Ｒから折機Ｆまで紙通しされたウェブＷが切断されないように、印刷機全体でウェブＷのテンションを維持しながら、給紙装置Ｒ、インフィード装置Ｉ、印刷装置Ｕ、ウェブパス装置Ｄ、折機Ｆを停止する必要がある。
【００６５】
印刷装置Ｕの印刷ユニットＵ５は、スタックごとにブランケット胴や版胴などを駆動する駆動装置（モータ）１５１，１５２，１５３，１５４及びアンプ１５５，１５６，１５７，１５８が設けられている。また、折機Ｆの折ユニットＦ１は、ウェブＷを三角板へ導くドラグローラ７１を駆動する駆動装置（モータ）１６１と、縦折りされたウェブＷの横折りや裁断を行う鋸胴７２や折胴７３などを駆動する駆動装置（モータ）１６２及びアンプ１６３，１６４が設けられている。そして、各アンプ１５５，１５６，１５７，１５８，１６３，１６４は、ＤＣ電源ユニット１７１に接続され、ＤＣ電源ユニット１７１は、ＡＣ電源１７２に接続されている。
【００６６】
制御装置１８０は、各アンプ１５５，１５６，１５７，１５８，１６３，１６４に制御指令値を出力することができる。また、制御装置１８０は、紙継ぎ装置１０３の駆動装置１１７及びエアシリンダ１２２と、給紙装置Ｒのブレーキ装置１４７に制御指令値を出力することができる。更に、制御装置１８０は、検出器１４５，１４６の検出信号が入力する。また、制御装置１８０は、停電時に、停電検知センサ１７３から停電信号が入力する。
【００６７】
そして、制御装置１８０は、停電検知センサ１７３から停電信号が入力すると、ウェブＷのテンションを維持しながら、給紙装置Ｒと印刷装置Ｕと折機Ｆを停止する。即ち、制御装置１８０は、各アンプ１５５，１５６，１５７，１５８，１６３，１６４に制御指令値を出力する。このとき、印刷装置Ｕの各駆動装置（モータ）１５１，１５２，１５３，１５４への給電が停止するが、ブランケット胴や版胴の慣性回転により各駆動装置（モータ）１５１，１５２，１５３，１５４が発電機として機能することで回生エネルギを回収し、回収した電力が各アンプ１５５，１５６，１５７，１５８を介してＤＣ電源ユニット１７１に送られる。ＤＣ電源ユニット１７１に送られた電力は、アンプ１６３，１６４を介して駆動装置（モータ）１６１，１６２に送り、駆動装置（モータ）１６１，１６２によりドラグローラ７１、や鋸胴７２や折胴７３などを駆動する。このとき、制御装置１８０は、印刷装置Ｕから折機ＦまでのウェブＷのテンションが適正値に維持されるように、駆動装置（モータ）１６１，１６２を駆動制御する。
【００６８】
また、制御装置１８０は、給紙装置Ｒから印刷装置ＵまでのウェブＷのテンションが適正値に維持されるように、紙継ぎ装置１０３とブレーキ装置１４７を駆動制御する。即ち、給紙装置Ｒと印刷装置Ｕとの間の給紙テンションは、テンションピックアップローラ１４２の検出器１４５が検出したウェブＷのテンションに基づいてブレーキ装置１４７のブレーキ力を調整している。ところが、巻取紙ＷＲの外径が大きかったり、紙自体の質量が大きかったりすると、ブレーキ装置１４７のブレーキ力だけでは印刷装置Ｕにおけるブランケット胴や版胴などの停止動作に同期して巻取紙ＷＲの回転を停止することが困難となり、ウェブＷに弛みが発生して断紙してしまうおそれがある。
【００６９】
そこで、本実施形態では、巻取紙ＷＲの外径が大きかったり、紙自体の質量が大きかったりすることで、現巻取紙ＷＲの回転による慣性力が予め設定された所定値より大きいとき、制御装置１８０は、停電信号が入力することで現巻取紙ＷＲからのウェブＷの供給を停止するとき、ブレーキ装置１４７を作動すると共に紙継ぎ装置１０３を作動するようにしている。つまり、ブレーキ装置１４７だけでは不足するブレーキ力を紙継ぎ装置１０３のブレーキ力で補充する。ここで、巻取紙ＷＲの回転による慣性力は、巻取紙ＷＲの質量と回転速度と外径から算出されるものである。そして、慣性力は、巻取紙ＷＲの外径と相関関係にあることから、以下の説明では、慣性力を外径として説明する。
【００７０】
この場合、巻取紙ＷＲの回転による慣性力は、紙種（メーカ銘柄、材質、紙の坪量、コーティング、紙幅など）によって変動する。そのため、現巻取紙ＷＲの回転を所定時間で停止させるための必要ブレーキ力は、紙種に合わせて増減する。制御装置１８０は、記憶装置１８３が接続されており、これら巻取紙ＷＲの種別ごとのペースタブラシ（押圧部材）１２０によるブレーキが必要となる現巻取紙ＷＲの所定外径（所定値）が記憶装置１８３に記憶されている。制御装置１８０は、現巻取紙ＷＲの種別が変更される際に、ペースタブラシ１２０によるブレーキが必要となる現巻取紙ＷＲの所定外径（所定値）が自動設定されるように、ペースタブラシ１２０によるブレーキが必要となる紙種ごとの現巻取紙ＷＲの所定外径（所定値）を予め記憶装置１８３に登録しておくことにより、停電停止時のみならず、通常運転の停止であっても、ウェブＷの断紙を防止しながら印刷機を適正に停止することができる。
【００７１】
なお、巻取紙ＷＲの種別ごとの所定外径（所定値）を記憶装置１８３に記憶するように構成したが、この構成に限定されるものではなく、例えば、巻取紙ＷＲの種別ごとのブレーキ力を記憶装置１８３に記憶しておいて、制御装置１８０が使用する巻取紙ＷＲに最適なブレーキ力を選択してブレーキ装置１４７や紙継ぎ装置１０３を作動するようにしてもよい。
【００７２】
即ち、制御装置１８０は、図５に示すように、紙継ぎ装置１０３により紙継ぎ作業を終了した後も、ペースタアーム１１３を現巻取紙ＷＲに接近した待機位置に移動したままとする。そして、制御装置１８０は、停電信号が入力されると、ブレーキ装置１４７を作動させると共に、エアシリンダ１２２を駆動してペースタレバー１１８を非作動位置から作動位置に移動し、ペースタブラシ１２０を現巻取紙ＷＲの外表面に押し付ける。すると、現巻取紙ＷＲは、ブレーキ装置１４７とペースタブラシ１２０からブレーキ力が付与されることで早期に回転が停止する。なお、紙継ぎ装置１０３にて、ペースタブラシ１２０に代えてペースタローラを用いた場合、ペースタローラを現巻取紙ＷＲの外表面に押し付けることで、現巻取紙ＷＲに回転抵抗を付与することができる。但し、ペースタローラでは、現巻取紙ＷＲに付与する回転抵抗が小さいときには、例えば、ペースタローラの補助ブレーキなどを別途設けて回転抵抗を増加させてもよい。
【００７３】
一方、現巻取紙ＷＲが回転してウェブＷを繰り出していくと、現巻取紙ＷＲの外径が減少する。図１に示すように、支持アーム１０１に現巻取紙ＷＲの回転数を検出する回転数検出センサ１８１が設けられている。制御装置１８０は、使用前の巻取紙ＷＲの外径データと紙厚データが入力されており、現巻取紙ＷＲの回転数により現巻取紙ＷＲの外径を算出する。そのため、図５に示すように、制御装置１８０は、現巻取紙ＷＲの外径が予め設定された所定値（所定外径）まで減少し、ブレーキ装置１４７のブレーキ力だけで現巻取紙ＷＲの回転を適正時間で停止することができる外径になると、駆動装置１１７によりペースタアーム１１３を退避位置に移動する。
【００７４】
また、制御装置１８０は、ペースタアーム１１３が現巻取紙ＷＲに接近した待機位置にあるとき、ペースタブラシ１２０と現巻取紙ＷＲの外表面との所定距離が一定に維持されるように紙継ぎ装置１０３を制御する。現巻取紙ＷＲが回転してウェブＷを繰り出すことで現巻取紙ＷＲの外径が減少すると、巻取紙ＷＲの外表面とペースタブラシ１２０との距離が長くなる。ペースタアーム１１３は、光電センサ１８２が設けられており、制御装置１８０は、ペースタアーム１１３が待機位置にあるとき、光電センサ１８２の検出結果に応じて駆動装置１１７によりペースタアーム１１３を前進移動することで、所定距離を一定に維持する。
【００７５】
ここで、本実施形態の停電発生時における印刷機の停止制御について説明する。図２は、給紙作業時におけるペースタアームの作動制御を表すフローチャート、図３は、停電発生時におけるブレーキ制御を表すフローチャート、図４は、停電発生時における必要ブレーキ力に対する実ブレーキ力の配分を表すグラフである。
【００７６】
まず、給紙装置Ｒによる給紙作業時におけるペースタアーム１１３の作動制御について、図２及び図５に示すように、紙継ぎ装置１０３による紙継ぎ作業の終了後、ステップＳ１１にて、制御装置１８０は、現巻取紙ＷＲの外径が予め設定された所定値より大きいかどうかを判定する。この所定値とは、ブレーキ装置１４７のブレーキ力だけで巻取紙ＷＲの回転を印刷装置Ｕの停止に同期して停止することができる限界値である。ここで、現巻取紙ＷＲの外径が所定値以下であると判定（Ｎｏ）されると、ステップＳ１５にて、制御装置１８０は、ペースタアーム１１３を待機位置に待機させずに、駆動装置１１７により退避位置に移動する。
【００７７】
一方、ステップＳ１１にて、現巻取紙ＷＲの外径が所定値より大きいと判定（Ｙｅｓ）されると、ステップＳ１２にて、制御装置１８０は、ペースタアーム１１３を待機位置に待機させる。そして、ステップＳ１３にて、制御装置１８０は、現巻取紙ＷＲの外径の変動によるペースタアーム１１３の位置制御を実行する。即ち、現巻取紙ＷＲが回転してウェブＷを繰り出すことで現巻取紙ＷＲの外径が減少する。そのため、制御装置１８０は、光電センサ１８２の検出結果に基づいて現巻取紙ＷＲの外表面とペースタブラシ１２０との所定距離Ｌが維持されるように、駆動装置１１７によりペースタアーム１１３を前進移動する。
【００７８】
そして、ステップＳ１４にて、制御装置１８０は、現巻取紙ＷＲの外径が所定値以下になったかどうかを判定する。ここで、現巻取紙ＷＲの外径が所定値より大きいと判定（Ｎｏ）されると、ステップＳ１３に戻って処理を繰り返す。一方、現巻取紙ＷＲの外径が所定値以下になったと判定（Ｙｅｓ）されると、ステップＳ１５に移行し、制御装置１８０は、待機位置に待機しているペースタアーム１１３を駆動装置１１７により退避位置に移動する。
【００７９】
次に、停電発生時におけるブレーキ制御について、図３及び図５に示すように、ペースタアーム１１３が待機位置に待機しているとき、ステップＳ２１にて、制御装置１８０は、停電信号が入力したかどうかを判定する。ここで、停電信号が入力していないと判定（Ｎｏ）されると、何もしないでこのルーチンを抜ける。一方、ステップＳ２１にて、停電信号が入力したと判定（Ｙｅｓ）されると、ステップＳ２２にて、制御装置１８０は、現巻取紙ＷＲの外径が所定値より大きいかどうかを判定する。
【００８０】
ここで、現巻取紙ＷＲの外径が所定値より大きいと判定（Ｙｅｓ）されると、ステップＳ２３にて、制御装置１８０は、紙継ぎ装置１０３のペースタレバー１１８（ペースタブラシ１２０）を作動すると共に、ブレーキ装置１４７を作動する。そのため、現巻取紙ＷＲは、ブレーキ装置１４７により回転軸部にブレーキ力が付与されると共に、ペースタブラシ１２０が外表面を押圧することで外周部にブレーキ力が付与され、その回転が停止される。
【００８１】
この場合、制御装置１８０は、現巻取紙ＷＲの回転を所定時間で停止させるための必要ブレーキ力に対して、紙継ぎ装置１０３（ペースタブラシ１２０）を作動することで発生するブレーキ力を一定とし、ブレーキ装置１４７を作動することで発生するブレーキ力を増減して調整する。即ち、図４に示すように、必要ブレーキ力に対して、ブレーキ装置１４７によるブレーキ力Ｂ１が実線で表され、紙継ぎ装置１０３によるブレーキ力Ｂ２が二点鎖線で表される。必要ブレーキ力０〜Ｂｍ１の領域では、ブレーキ装置１４７によるブレーキ力０からＢｒにより確保できる。必要ブレーキ力Ｂｍ１〜Ｂｍ２の領域では、ブレーキ装置１４７と紙継ぎ装置１０３によるブレーキ力により確保できる。ここで、必要ブレーキ力の増減に対して、紙継ぎ装置１０３によるブレーキ力Ｂｂを一定とし、ブレーキ装置１４７によるブレーキ力Ｂａを増減する。
【００８２】
ここで、紙継ぎ装置１０３によるブレーキ力は、ペースタレバー１１８を回動してペースタブラシ１２０を巻取紙ＷＲの外表面に押圧することで発生するものであることから、常時一定である。一方、ブレーキ装置１４７は、ディスクブレーキであることから、そのブレーキ力を調整することができる。そのため、必要ブレーキ力Ｂｍ１〜Ｂｍ２の領域では、紙継ぎ装置１０３によるブレーキ力を一定とし、ブレーキ装置１４７によるブレーキ力を増減することで不足分を調整する。
【００８３】
一方、図３及び図５に示すように、現巻取紙ＷＲの外径が所定値以下であると判定（Ｎｏ）されると、ステップＳ２４にて、制御装置１８０は、紙継ぎ装置１０３を作動させずに、ブレーキ装置１４７だけを作動する。そのため、現巻取紙ＷＲは、ブレーキ装置１４７により回転軸部にブレーキ力が付与され、その回転が停止される。その後、ステップＳ２５にて、印刷機１０が停止する。
【００８４】
このように本実施形態の給紙装置にあっては、先端部に巻取紙ＷＲを回転自在に支持可能な複数のアーム部１０１ａ，１０１ｂ，１０１ｃを有して回転自在に支持される支持アーム１０１と、現巻取紙ＷＲから繰り出されて走行するウェブＷと新巻取紙ＷＲから繰り出されるウェブＷとが重ねられた接着位置を押圧するように作動するペースタブラシ１２０と現巻取紙ＷＲから繰り出されて走行するウェブＷを切断するカッタ１２４とを有する紙継ぎ装置１０３と、巻取紙ＷＲと一体回転する支持アーム１０１の回転軸部に対して制動力を付与するブレーキ装置１４７と、現巻取紙ＷＲからのウェブＷの供給停止時にブレーキ装置１４７を作動すると共にペースタブラシ１２０を作動する制御装置１８０とを設けている。
【００８５】
従って、現巻取紙ＷＲの回転を停止するための十分なブレーキ力を適正に確保することができ、適正時期に現巻取紙ＷＲの回転を停止することができる。そして、現巻取紙ＷＲの回転を停止するためのブレーキ力を確保するために、紙継ぎ装置１０３のペースタブラシ１２０を用いることで、別のブレーキ装置を追加する必要はなく、装置の大型化や設備コストの増加を抑制することができる。また、既存の紙継ぎ装置１０３を用いることで、ペースタブラシ１２０の作動時にウェブＷに対する損傷を抑制しながら、必要な制動力を確保することができる。
【００８６】
本実施形態の給紙装置では、制御装置１８０は、現巻取紙ＷＲの回転による慣性力が予め設定された所定値より大きいとき、現巻取紙ＷＲからのウェブＷの供給停止時にブレーキ装置１４７を作動すると共にペースタブラシ１２０を作動する。従って、現巻取紙ＷＲの回転による慣性力が所定値以下のときは、ブレーキ装置１４７だけを作動して現巻取紙ＷＲの回転を停止し、現巻取紙ＷＲの回転による慣性力が所定値より大きいとき、ブレーキ装置１４７とペースタブラシ１２０の両方を作動して現巻取紙ＷＲの回転を停止することとなり、必要時だけ紙継ぎ装置１０３のペースタブラシ１２０を使用することで、紙継ぎ作業に悪影響を与えることなく、常時適正時期に現巻取紙ＷＲの回転を停止することができる。
【００８７】
本実施形態の給紙装置では、慣性力の所定値をウェブＷ（巻取紙ＷＲ）の種類ごとに複数設定し、ウェブＷの種類ごとの複数の所定値を記憶装置１８３に記憶し、制御装置１８０は、記憶装置１８３に記憶されたウェブＷの種類ごとの複数の所定値の中から使用するウェブＷの所定値を選択し、現巻取紙ＷＲの慣性力が選択された所定値より大きいとき、ブレーキ装置１４７を作動すると共にペースタブラシ１２０を作動する。従って、記憶された複数の所定値の中から使用するウェブＷに最適な所定値を選択してブレーキ力を発生させることとなり、停電停止時のみならず、通常運転の停止であっても、ウェブＷの断紙を防止しながら印刷機を適正に停止することができる。
【００８８】
本実施形態の給紙装置では、制御装置１８０は、現巻取紙ＷＲの外径が予め設定された所定外径より大きいとき、現巻取紙ＷＲからのウェブＷの供給停止時にブレーキ装置１４７を作動すると共にペースタブラシ１２０を作動する。従って、現巻取紙ＷＲの外径が所定外径以下のときは、ブレーキ装置１４７だけを作動して現巻取紙ＷＲの回転を停止し、現巻取紙ＷＲの外径が所定外径より大きいとき、ブレーキ装置１４７とペースタブラシ１２０の両方を作動して現巻取紙ＷＲの回転を停止することとなり、必要時だけ紙継ぎ装置１０３のペースタアーム１１３を使用することで、紙継ぎ作業に悪影響を与えることなく、常時適正時期に現巻取紙ＷＲの回転を停止することができる。
【００８９】
本実施形態の給紙装置では、所定外径をウェブＷの種類ごとに複数設定し、ウェブＷの種類ごとの複数の所定外径を記憶装置１８３に記憶し、制御装置１８０は、記憶装置１８３に記憶されたウェブＷの種類ごとの複数の所定外径の中から使用するウェブＷの所定外径を選択し、現巻取紙ＷＲの外径が選択された所定外径より大きいとき、ブレーキ装置１４７を作動すると共にペースタブラシ１２０を作動する。従って、記憶された複数の所定外径の中から使用するウェブＷに最適な所定外径を選択してブレーキ力を発生させることとなり、停電停止時のみならず、通常運転の停止であっても、ウェブＷの断紙を防止しながら印刷機を適正に停止することができる。
【００９０】
本実施形態の給紙装置では、紙継ぎ装置１０３は、現巻取紙ＷＲから離間した退避位置と現巻取紙ＷＲに接近した待機位置とに移動可能なペースタアーム１１３と、ペースタアーム１１３に支持されて現巻取紙ＷＲの外表面から予め設定された所定距離Ｌだけ離間した非作動位置と現巻取紙ＷＲの外表面を押圧する作動位置とに移動可能なペースタブラシ１２０とを有し、制御装置１８０は、ペースタアーム１１３が待機位置にあるとき、ペースタブラシ１２０と現巻取紙ＷＲの外表面との所定距離Ｌを一定に維持する。従って、現巻取紙ＷＲからのウェブＷの供給停止時に、短時間でペースタブラシ１２０を現巻取紙ＷＲの外表面に押圧してブレーキを付与することができ、現巻取紙ＷＲからのウェブＷの供給を適正に停止することができる。
【００９１】
本実施形態の給紙装置では、ペースタアーム１１３を退避位置と待機位置とに移動可能な駆動装置１１７を設け、制御装置１８０は、ペースタアーム１１３が待機位置にあるとき、駆動装置に１１７よりペースタアーム１１３を移動することで、所定距離Ｌを一定に維持する。従って、支持アーム１０１側の作動、つまり、現巻取紙ＷＲからのウェブＷの繰り出し作業に悪影響を与えることなく、所定距離Ｌを一定に維持することができる。
【００９２】
本実施形態の給紙装置では、制御装置１８０は、現巻取紙ＷＲの外径が予め設定された所定値まで減少すると、駆動装置１１７によりペースタアーム１１３を退避位置に移動する。従って、次の紙継ぎ作業を支障なく実施することができる。
【００９３】
本実施形態の給紙装置では、制御装置１８０は、必要ブレーキ力に対してペースタブラシ１２０を作動することで発生するブレーキ力を一定とし、ブレーキ装置１４７を作動することで発生するブレーキ力を増減する。従って、紙継ぎ作業時に必要なペースタブラシ１２０の押圧力と、ウェブＷの供給停止時に必要なペースタブラシ１２０の押圧力が同じとなり、ペースタブラシ１２０の押圧力の調整を不要として作業性を向上することができる。
【００９４】
また、本実施形態の給紙停止方法は、現巻取紙ＷＲからのウェブＷの供給停止指令に応じてブレーキ装置１４７を作動すると共にペースタブラシ１２０を作動するようにしている。従って、現巻取紙ＷＲの回転を停止するための十分なブレーキ力を適正に確保することができ、適正時期に現巻取紙ＷＲの回転を停止することができる。そして、現巻取紙ＷＲの回転を停止するためのブレーキ力を確保するために、紙継ぎ装置１０３のペースタブラシ１２０を用いることで、別のブレーキ装置を追加する必要はなく、装置の大型化や設備コストの増加を抑制することができる。また、既存の紙継ぎ装置１０３を用いることで、ペースタブラシ１２０の作動時にウェブＷに対する損傷を抑制しながら、必要な制動力を確保することができる。
【００９５】
本実施形態の給紙停止方法では、現巻取紙ＷＲの回転による慣性力が予め設定された所定値より大きいとき、現巻取紙ＷＲからのウェブＷの供給停止時にブレーキ装置１４７を作動すると共にペースタブラシ１２０を作動する。従って、現巻取紙ＷＲの回転による慣性力が所定値以下のときは、ブレーキ装置１４７だけを作動して現巻取紙ＷＲの回転を停止し、現巻取紙ＷＲの回転による慣性力が所定値より大きいとき、ブレーキ装置１４７とペースタブラシ１２０の両方を作動して現巻取紙ＷＲの回転を停止することとなり、必要時だけ紙継ぎ装置１０３のペースタブラシ１２０を使用することで、紙継ぎ作業に悪影響を与えることなく、常時適正時期に現巻取紙ＷＲの回転を停止することができる。
【００９６】
また、本実施形態の印刷機にあっては、給紙装置Ｒと印刷装置Ｕとウェブパス装置Ｄと折機Ｆとを設けている。従って、給紙装置Ｒにて、現巻取紙ＷＲの回転を停止するための十分なブレーキ力を適正に確保することができ、適正時期に現巻取紙ＷＲの回転を停止することができる。そして、現巻取紙ＷＲの回転を停止するためのブレーキ力を確保するために、紙継ぎ装置１０３のペースタブラシ１２０を用いることで、別のブレーキ装置を追加する必要はなく、装置の大型化や設備コストの増加を抑制することができる。また、既存の紙継ぎ装置１０３を用いることで、ペースタブラシ１２０の作動時にウェブＷに対する損傷を抑制しながら、必要な制動力を確保することができる。
【００９７】
本実施形態の印刷機では、停電信号が入力すると、ブレーキ装置１４７を作動すると共にペースタブラシ１２０を作動する。従って、同時に緊急停止する印刷装置Ｕと折機Ｆの停止動作に同期させて給紙装置Ｒを停止することができる。
【００９８】
本実施形態の印刷機では、停電信号が入力すると、給紙装置Ｒから印刷装置ＵまでのウェブＷのテンションが適正値に維持されるように、ブレーキ装置１４７とペースタブラシ１２０を作動する。従って、停電時に、ウェブＷのテンションが適正値に維持されるように給紙装置Ｒを停止することで、ウェブＷの断紙を防止しながら印刷機Ｐを停止することができ、停電の復帰時に、早期に印刷機Ｐを稼働することができる。
【００９９】
なお、上述した実施形態では、使用前の巻取紙ＷＲの外径データと紙厚データと現巻取紙ＷＲの回転数に基づいて現巻取紙ＷＲの外径を算出し、これを所定値と比較するように構成したが、この構成に限定されるものではない。例えば、使用前の巻取紙ＷＲの外径データと紙厚データと現巻取紙ＷＲの回転速度が予めわかっていれば、現巻取紙ＷＲの外径が所定値になる時間が推定されることから、紙継ぎをしてから所定時間が経過したら、巻取紙ＷＲの外径が所定値以下になったものと推定するように構成してもよい。
【０１００】
また、上述した実施形態では、光電センサ１８２の検出結果に基づいて現巻取紙ＷＲの外表面とペースタブラシ１２０との所定距離Ｌが維持されるように、駆動装置１１７によりペースタアーム１１３を現巻取紙ＷＲ側に移動するように構成したが、この構成に限定されるものではない。例えば、ペースタアーム１１３に代えてペースタレバー１１８を現巻取紙ＷＲ側に移動するように構成してもよい。また、現巻取紙ＷＲの外表面とペースタブラシ１２０との所定距離Ｌが維持されるように、支持アーム１０１、アーム部１０１ａ，１０１ｂ，１０１ｃ、巻取紙ＷＲをペースタブラシ１２０側に移動するように構成してもよい。
【０１０１】
また、上述した実施形態では、本発明の押圧部材としてペースタブラシ１２０やペースタローラを用いたが、押圧したときに巻取紙ＷＲの表面が損傷しないものであればよく、ゴムなどの弾性部材、スポンジ、布などを用いてもよい。
【０１０２】
また、上述した実施形態では、停電時の処理として説明したが、別の要因で印刷機を停止する場合に適用してもよい。
【符号の説明】
【０１０３】
Ｐ  新聞用オフセット輪転印刷機（印刷機）
Ｒ  給紙装置
Ｒ１，Ｒ２，Ｒ３，Ｒ４，Ｒ５  給紙ユニット
Ｉ  インフィード装置
Ｉ１，Ｉ２，Ｉ３，Ｉ４，Ｉ５  インフィードユニット
Ｕ  印刷装置
Ｕ１，Ｕ２，Ｕ３，Ｕ４，Ｕ５  印刷ユニット
Ｄ  ウェブパス装置
Ｄ１  ウェブパスユニット
Ｄ１１  スリッタ
Ｄ１２  ターンバー
Ｄ１３  コンペンセータ
Ｆ  折機
Ｆ１，Ｆ２  折ユニット
２１，２２，２３，２４  スタック
３１ａ，３１ｂ，３２ａ，３２ｂ，３３ａ，３３ｂ，３４ａ，３４ｂ  ブランケット胴
４１ａ，４１ｂ，４２ａ，４２ｂ，４３ａ，４３ｂ，４４ａ，４４ｂ  版胴
５１ａ，５１ｂ，５２ａ，５２ｂ，５３ａ，５３ｂ，５４ａ，５４ｂ  インキ供給装置
６１ａ，６１ｂ，６２ａ，６２ｂ，６３ａ，６３ｂ，６４ａ，６４ｂ  湿し装置
７１  ドラグローラ
７２  鋸胴
７３  折胴
１０１  支持アーム
１０１ａ，１０１ｂ，１０１ｃ  アーム部
１０３，１３０  紙継ぎ装置
１１３，１３１  ペースタアーム（移動部材）
１１７  駆動装置（移動装置）
１１８，１３３  ペースタレバー
１２０，１３５  ペースタブラシ（押圧部材）
１２１  作動レバー
１２２  エアシリンダ
１２４，１３６  カッタ
１３２  エアシリンダ（移動装置）
１４１  フローティングローラ
１４２  テンションピックアップローラ
１４３  インフィードローラ
１４４  ダンサローラ
１４５，１４６  検出器
１４７  ブレーキ装置
１５１，１５２，１５３，１５４，１６１，１６２  駆動装置
１５５，１５６，１５７，１５８，１６３，１６４  アンプ
１７１  ＤＣ電源ユニット
１７２  ＡＣ電源
１７３  停電検知センサ
１８１  回転数検出センサ
１８２  光電センサ
１８３  記憶装置
Ｗ  ウェブ
ＷＲ  巻取紙
【図１】
2018095331.tif 000003
【図２】
2018095331.tif 000004
【図３】
2018095331.tif 000005
【図４】
2018095331.tif 000006
【図５】
2018095331.tif 000007
【図６】
2018095331.tif 000008
【図７】
2018095331.tif 000009
【図８】
2018095331.tif 000010
【図９】
2018095331.tif 000011